(57)【要約】      （修正有）【課題】樹脂シート部の熱溶着が容易なファイルを提供する。【解決手段】表面となる第１シート部１２０と、仕切りとなる第２シート部１３０と、仕切りとなる第３シート部１４０と、背面となる第４シート部１５０と、を有し、第１シート部は、第２シート部と接続し、第４シート部は、第３シート部と接続し、第２シート部は空所を具備する第１開口部１３７と、第３シート部は空所を具備する第２開口部１４７と、をさらに有し、表面となる第１シート部と、仕切りとなる第２シート部と、仕切りとなる第３シート部と、背面となる第４シート部と、を重ね、第１開口部の空所と、第２開口部の空所と、を通して、第１シート部と、第４シート部と、を熱溶着するファイルである。【選択図】図３
0003233573.tif 000002
【実用新案登録請求の範囲】
【請求項１】
表面となる第１シート部と、
仕切りとなる第２シート部と、
仕切りとなる第３シート部と、
背面となる第４シート部と、を有し、
前記第１シート部は、前記第２シート部と接続し、
前記第４シート部は、前記第３シート部と接続し、
前記第２シート部は空所を具備する第２開口部と、
前記第３シート部は空所を具備する第３開口部と、をさらに有し、
前記表面となる第１シート部と、前記仕切りとなる第２シート部と、前記仕切りとなる第３シート部と、前記背面となる第４シート部とを重ね、前記第２開口部の空所と、前記第３開口部の空所と、を通して、前記第１シート部と、前記第４シート部と、を熱溶着するファイル。
【請求項２】
前記第１シート部は、側部を構成する第１側辺部と、
前記第２シート部は、側部を構成する第２側辺部と、
前記第３シート部は、側部を構成する第３側辺部と、を有し、
前記第１側辺部は、インデックスとなる第１インデックス部と、
前記第２側辺部は、インデックスとなる第２インデックス部と、
前記第３側辺部は、インデックスとなる第３インデックス部と、
前記第１側辺部に切り欠いた切り欠き部と、をさらに有する請求項１記載のファイル。
【請求項３】
前記第１シートは、底辺を構成する第１底辺部を具備し、
前記第２シートは、底辺を構成する第２底辺部を具備し、
前記第３シートは、底辺を構成する第３底辺部を具備し、
前記第４シートは、底辺を構成する第４底辺部を具備し、
前記第１シート部と、前記第２シート部との接続は、前記第１底辺部と、前記第２底辺部と、を接続するとともに、前記第２底辺部は、前記第２開口部の両側に配置し、
前記第４シート部と、前記第３シート部との接続は、前記第３底辺部と、前記第４底辺部と、を接続するとともに、前記第３底辺部は、前記第３開口部の両側に配置する請求項１または２記載のファイル。
【請求項４】
仕切りとなる第５シート部と、を有し、
前記第５シート部は、前記第２シート部と、前記第３シート部と、の間の位置に挿入するととともに、
前記第５シート部は、前記第１シート部および前記第４シート部と、熱溶着する請求項１から３のいずれかに記載の記載のファイル。
【請求項５】
仕切りとなる第６シート部と、を有し、
前記第６シート部は、第７シート部と、第８シート部と、を有し、
前記第７シート部と前記第８シート部と、を連結するとともに、それらを折りたたみ、
前記第６シート部は、前記第２シート部と、前記第３シート部と、の間の位置に挿入し、
前記第８シート部は、前記第１シート部および前記第４シート部と、熱溶着する請求項１から３のいずれかに記載の記載のファイル。
【考案の詳細な説明】
【技術分野】
【０００１】
本考案は、書類等を仕切りによって個別に収納することができるファイルに関するものである。
【背景技術】
【０００２】
書類等を仕切りによって個別に収納することができるファイルが販売されている。このファイルは樹脂製のシート部を複数折り曲げ表紙と裏表紙とその間に仕切りを配置し、それらの底部部分を、熱溶着して固定することで構成している。
【０００３】
例えば、実用新案登録第３０２７９４７号公報において、「平板シート部１を二枚重ねに２つ折りに折り畳み該２つ折り平板シート部の折り畳み方向に対して直交方向から更に該２つ折り平板シート部を２つ折りに折り畳み４つ折り平板シート部を形成し、該４つ折り平板シート部の折畳内側シート部面のみを折畳線の全長に渡って切欠線により２つに切離し、又は該４つ折り平板シート部の折畳内側シート部面を切離さずに、前記４つ折り平板シート部の一方の折畳内側シート部１面の折畳底部方向の一部を切り起こして連結片を形成し該連結片を対向方向の折畳外側シート部面の外表面へ折り畳んで挾持し又は接着してなることを特徴とする書類ファイルケース。」が開示されている。
【０００４】
上述のファイルケースでは、平板シート部２を４つ折りに折り畳んだ４つ折り平板シート部１４を形成した後、折畳内側シート部面１０ａから切り起こした連結片１２を、右側部分の折畳外側シート部面７ｂたるケース裏面９の外表面に強く折り曲げてヒートシールにより溶着するというものである。
【０００５】
しかしながら、このような熱溶着であるヒートシールは、通常その厚さが０.２ミリメートルの樹脂シート部の場合、３枚重ねて溶着することが限界でありそれ以上の枚数の樹脂シート部を溶着する場合は、さらに溶着する工程を増加させなければならない。また、ヒートシールである熱溶着した部分が、ゆがみが生じ、その部分が湾曲し美観を損ねる場合がある。
【０００６】
また、熱溶着した部分は、はがれやすく、ファイルを開くときにその部分が剥離する場合がある。
【０００７】
【特許文献１】実用新案登録第３０２７９４７号公報
【考案の開示】
【考案が解決しようとする課題】
【０００８】
本考案は前記の実情に鑑みなされたもので、その課題は、樹脂シート部の熱溶着が容易なファイルを提供することである。
【課題を解決するための手段】
【０００９】
前記の課題を解決するため、第１観点のファイルは、表面となる第１シート部と、仕切りとなる第２シート部と、仕切りとなる第３シート部と、背面となる第４シート部と、を有し、第１シート部は、第２シート部と接続し、第４シート部は、第３シート部と接続し、第２シート部は空所を具備する第２開口部と、第３シート部は空所を具備する第３開口部と、をさらに有し、表面となる第１シート部と、仕切りとなる第２シート部と、仕切りとなる第３シート部と、背面となる第４シート部と、を重ね、第２開口部の空所と、第３開口部の空所と、を通して、第１シート部と、第４シート部と、を熱溶着するというものである。
【００１０】
また、第２観点のファイルは、第１観点において、第１シート部は、側部を構成する第１側辺部と、第２シート部は、側部を構成する第２側辺部と、第３シート部は、側部を構成する第３側辺部と、を有し、第１側辺部は、インデックスとなる第１インデックス部と、第２側辺部は、インデックスとなる第２インデックス部と、第３側辺部は、インデックスとなる第３インデックス部と、第１側辺部に切り欠いた切り欠き部と、をさらに有するというものである。
【００１１】
また、第３観点のファイルは、第１観点または第２観点において、第１シートは、底辺を構成する第１底辺部を具備し、第２シートは、底辺を構成する第２底辺部を具備し、第３シートは、底辺を構成する第３底辺部を具備し、第４シートは、底辺を構成する第４底辺部を具備し、第１シート部と、第２シート部との接続は、第１底辺部と、第２底辺部と、を接続するとともに、第２底辺部は、第２開口部の両側に配置し、第４シート部と、第３シート部との接続は、第３底辺部と、第４底辺部と、を接続するとともに、第３底辺部は、第３開口部の両側に配置するというものである。
【００１２】
また、第４観点のファイルは、第１観点から第３観点において、仕切りとなる第５シート部と、を有し、第５シート部は、第２シート部と、第３シート部と、の間の位置に挿入するととともに、第５シート部は、第１シート部および第４シート部と、熱溶着するというものである。
【００１３】
また、第５観点のファイルは、第１観点から第３観点において、仕切りとなる第６シート部と、を有し、第６シート部は、第７シート部と、第８シート部と、を有し、第７シート部と第８シート部と、を連結するとともに、それらを折りたたみ、第６シート部は、第２シート部と、第３シート部と、の間の位置に挿入し、第８シート部は、第１シート部および第４シート部と、熱溶着するというものである。
【考案の効果】
【００１４】
本考案は以上のように構成され、かつ作用するものであるものであるから、樹脂シート部の熱溶着が容易なファイルを提供することができる。
【図面の簡単な説明】
【００１５】
【図１】第１実施例のファイルの正面図である。
【図２】開いた状態の第１実施例のファイルの斜視図である。
【図３】第１実施例のファイルを構成する樹脂シート部の平面図である。
【図４】第１シート部における第１底辺部と、第４シート部における第４底辺部に沿って谷折りしようとする状態のする樹脂シート部の斜視図である。
【図５】第１シート部における第１底辺部と、第４シート部における第４底辺部に沿って谷折りした状態の樹脂シート部の斜視図である。
【図６】第１シート部における第１背辺部と、第４シート部における第４背辺部に沿って谷折りしようとする状態の樹脂シート部の斜視図である。
【図７】第５シート部の正面図である。
【図８】第６シート部の正面図である。
【考案を実施するための最良の形態】
【００１６】
以下図示の実施形態を参照して本実施例について説明する。第１実施例のファイル１０は、樹脂製のシート部からなる樹脂シート部１００を後述するように折りたたみ、かつ、後述する所定の位置を熱溶着することによって構成されている。樹脂シート部１００は、ほぼ矩形状を呈する第１シート部１２０と、ほぼ矩形状を呈する第２シート部１３０と、ほぼ矩形状を呈する第３シート部１４０と、ほぼ矩形状を呈する第４シート部１５０と、を有し、それらによって、その樹脂シート部１００は、若干その大きさは異なるもののほぼ４等分されている（特に図３参照）。なお、上記の通り、ほぼ矩形状としたのは、角が角丸形状を呈しているからである。また、樹脂シート部１００に印刷をし、上述の各シート部を収納する部位ごとに識別できるようにすることも可能である。
【００１７】
樹脂シート部１００のうち、第１シート部１２０は、ファイル１０を構成したときに表面（表紙）を構成し、第４シート部１５０は、背面（裏表紙）を構成する。また、第２シート部１３０は、ファイル１０を構成したときに第１シート部１２０と第４シート部１５０の間に配置される仕切りを構成する。また、第３シート部１４０もファイル１０を構成したときに第１シート部１２０と第４シート部１５０の間に配置される仕切りを構成する。
【００１８】
また、第２シート部１３０の横幅Ｈ２は、第１シート部１２０の横幅Ｈ１または、第４シート部１５０の横幅Ｈ４より狭く構成することが好ましい。第３シート部１４０の横幅Ｈ３も同様に、第１シート部１２０の横幅Ｈ１または、第４シート部１５０の横幅Ｈ４より狭く構成することが好ましい。なお、第１シート部１２０の横幅Ｈ１または、第４シート部１５０の横幅Ｈ４は同一であることが好ましい。また、第２シート部１３０の横幅Ｈ２と、第３シート部１４０の横幅Ｈ３も同一であることが好ましい。
【００１９】
また、第１シート部１２０は底辺を構成する第１底辺部１２１を有する。また側部を構成する第１側辺部１２２と、上端部を構成する第１上辺部１２３とを有する。また背部を構成する第１背辺部１２４を有する。このように、第１シート部１２０は、樹脂シート部１００から抜き出した状態において上記の通りほぼ四辺に囲まれ矩形状の呈するものである。また、第１側辺部１２２は、見出しとなる第１インデックス部１２２ａを有する。第１インデックス部１２２ａは、第１側辺部１２２の一部を取り除くことで構成している。また、第１側辺部１２２の下部であって、第１底辺部１２１の近傍に、その第１側辺部１２２の一部を切り欠いた切り欠き部１２８を有する。
【００２０】
また、第２シート部１３０は底辺を構成する第２底辺部１３１、１３１を有する。また側部を構成する第２側辺部１３２と、上端部を構成する第２上辺部１３３とを有する。また背部を構成する第２背辺部１３４を有する。このように、第２シート部１３０は、樹脂シート部１００から抜き出した状態において、ほぼ四辺に囲まれ矩形状の呈するものである。
【００２１】
また、第２底辺部１３１、１３１の間に空所１３６を有する第１開口部１３７を有する。すなわち、第１開口部１３７の両側にそれぞれ、第２底辺部１３１、１３１が配置されている。また、第２底辺部１３１、１３１は、それぞれ、第１底辺部１２１に接続されている。このように、第１開口部１３７は、第２シート部１３０における底辺の一部を切り欠いた空所１３６を有するように構成されている。なお、第１開口部１３７は、コの字状を呈するものが好ましい。また、第２側辺部１３２は、見出しとなる第２インデックス部１３２ａを有する。第２インデックス部１３２ａは、第２側辺部１３２の一部を取り除くことで構成している。
【００２２】
また、第３シート部１４０は底辺を構成する第３底辺部１４１、１４１を有する。また側部を構成する第３側辺部１４２と、上端部を構成する第３上辺部１４３とを有する。また背部を構成する第３背辺部１４４を有する。このように、第３シート部１４０は、樹脂シート部１００から抜き出した状態において、ほぼ四辺に囲まれ上記の通り矩形状の呈するものである。また、第３底辺部１４１、１４１の間に空所１４６を有する第２開口部１４７を有する。すなわち、第２開口部１４７の両側にそれぞれ、第３底辺部１４１、１４１が配置されている。また、第３底辺部１４１、１４１は、それぞれ、第２底辺部１３１に接続されている。このように、第２開口部１４７は、第３シート部１４０における底辺の一部を切り欠いた空所１４６を有するように構成されている。なお、第２開口部１４７は、コの字状を呈するものが好ましい。
【００２３】
また、第３側辺部１４２は、見出しとなる第３インデックス部１４２ａを有する。第３インデックス部１４２ａは、第３側辺部１４２の一部を取り除くことで構成している。
【００２４】
また、第４シート部１５０は底辺を構成する第４底辺部１５１を有する。また側部を構成する第４側辺部１５２と、上端部を構成する第４上辺部１５３とを有する。また背部を構成する第４背辺部１５４を有する。このように、第４シート部１５０は、樹脂シート部１００から抜き出した状態において、ほぼ四辺に囲まれ上記の通り矩形状の呈するものである。また、第４側辺部１５２の下部であって、第４底辺部１５１の近傍に、その第４側辺部１５２の一部を切り欠いた切り欠き部１５８を有する。なお、第４側辺部１５２はその一部を切り欠くことなく、その第４側辺部１５２をインデックスとすることができる。
【００２５】
上記構成の樹脂シート部１００における第１シート部１２０と、第２シート部１３０と、第３シート部１４０と、第４シート部１５０は、図３において、樹脂シート部１００において、第１シート部１２０の右方に第４シート部１５０を配置し、第１シート部１２０の下方に第２シート部１３０を配置する。また、第２シート部１３０の右方に第３シート部１４０を配置する。第１シート部１２０と、第４シート部１５０は、第１背辺部１２４と第４背辺部１５４が一体に接続され、それらは互いに共有する構成である。
【００２６】
次に、第１シート部１２０の第１底辺部１２１は、第２底辺部１３１、１３１と接続され第１底辺部１２１の一部は、第２底辺部１３１、１３１と共有する構成であり、第１底辺部１２１の他の一部は、空所１３６を介して第１開口部１３７が配置されている。
【００２７】
第４シート部１５０の第４底辺部１５１は、第３底辺部１４１、１４１と接続され第４底辺部１５１の一部は、第４底辺部１４１、１４１と共有する構成であり、第４底辺部１５１の他の一部は、空所１４６を介して第２開口部１４７が配置されている。
【００２８】
また、第２背辺部１３４と、第３背辺部１４４は若干の隙間Ｓが空くように配置されている。上記の通り、第２シート部１３０の横幅Ｈ２および第３シート部１４０の横幅Ｈ３は、第１シート部１２０の横幅Ｈ１または、第４シート部１５０の横幅Ｈ４より狭く構成されているからである。
【００２９】
上記構成の樹脂シート部１００における第１シート部１２０と、第２シート部１３０と、第３シート部１４０と、第４シート部１５０は、を順次重ねることにより第１実施例のファイル１０を構成する。具体的には、以下の工程を経ることによって第１実施例のファイル１０を作成する。
【００３０】
第１シート部１２０と、第２シート部１３０と、第３シート部１４０と、第４シート部１５０と、を有する樹脂シート部１００を、第１シート部１２０における第１底辺部１２１と、第４シート部１５０における第４底辺部１５１に沿って谷折りする。
【００３１】
上記の通り、第１シート部１２０における第１底辺部１２１と、第４シート部１５０における第４底辺部１５１と、に沿って谷折りした樹脂シート部１００は、第１開口部１３７における空所１３６を通じて、第１シート部１２０の第１底辺部１２１付近が露出する。
【００３２】
また、第２開口部１４７における空所１４６を通じて、第４シート部１５０の第４底辺部１４１付近が露出する。このとき、第１開口部１３７と第２開口部１４７は、第１背辺部１２４（第４シート部１５０における第４背辺部１５４）に対して互いに線対象となる位置に配置されており、その大きさ及び形状も同一であるように構成することが好ましい。
【００３３】
また、上記の通り、第２背辺部１３４と、第３背辺部１４４は若干の隙間Ｓが空くように構成されている。この場合において互いに共有する第１シート部１２０における第１背辺部１２４（第４シート部１５０における第４背辺部１５４）を谷折りする。上記の通り、第２背辺部１３４と、第３背辺部１４４は若干の隙間Ｓが空くように配置されているので、第１シート部１２０における第１背辺部１２４を谷折りしたとしても、その第１背辺部１２４（第２背辺部１３４）付近がたわむ恐れが少ないものとなる。
【００３４】
また、第２シート部１３０と、第３シート部１４０とが、互いに接するように折り曲げ、第１開口部１３７と第２開口部１４７が、重なり合う。よって、第１シート部１２０の第１底辺部１２１付近と、第４シート部１５０の第４底辺部１４１付近が、仕切りとなる第２シート部１３０と、第３シート部１４０を挟んだとしても、第１シート部１２０と、第４シート部１５０が、直接接触する位置に配置される。
【００３５】
この状態で、その第１シート部１２０の第１底辺部１２１付近と、第４シート部１５０の第４底辺部１４１付近を、ヒートシール（熱溶着）し、線状の熱溶着部１７０を構成する。熱溶着部１７０は、空所１３６及び空所１４６を通して、第１シート部１２０と第４シート部１５０と、を溶着する。とくに第１シート部１２０における第１底辺部２１の近傍と、第４シート部１５０における第４底辺部５１の近傍を溶着する（なおこの位置が所定の位置である。）ことで、ファイル１０としたときにその容量の低下を招くことがなく、例えば、Ａ４規格の紙片を収納することができる。
【００３６】
また、第１シート部１２０と、第２シート部１３０と、第３シート部１４０と、第４シート部１５０と、の４枚のシート部を有していたとしても、そのうちの第１シート部１２０と第４シート部１５０とを熱溶着することで上記ファイル１０を作成することができるので、超音波接合装置を用いることなく、熱接合装置で製作できるので、製作コストを増大させることがない。
【００３７】
また、第１シート部１２０と、第２シート部１３０と、第３シート部１４０と、第４シート部１５０と、の４枚のシート部を順次重ね閉じた状態において、第１シート部１２０の第１底辺部１２１付近と、第４シート部１５０の第４底辺部１４１付近における線状の熱溶着部１７０をヒートシール（熱溶着）するので、第１シート部１２０と、第４シート部１５０とを開いて熱溶着する必要がなく、生産性の高いファイル１０を提供することができる。
【００３８】
また、空所１３６及び空所１４６を通してヒートシール（熱溶着）した熱溶着部１７０は、第２底辺部１３１と第３底辺部１４１の接続部分によって、ファイル１０を開くときの力が直接熱溶着部１７０にかからず、その熱溶着部１７０部分の剥がれを防止することができる。また更に、第１側辺部１２２の一部を切り欠いた切り欠き部１２８と、第４側辺部１５２の一部を切り欠いた切り欠き部１５８と、を有することによって、さらに、ファイル１０を開くときの力が直接熱溶着部１７０にかかる可能性を可及的に減少させることができる。
【００３９】
また、第２背辺部１３４と、第３背辺部１４４は若干の隙間Ｓが空くように配置されているので、樹脂シート部１００をファイル１０に構成したとしても、仕切りとなる第２シート部１３０と、第３シート部１４０とが、隙間Ｓを有して分離しているために第１シート部１２０における第１背辺部１２４と、第４シート部１５０における第４背辺部１５４との間に収まることで、そのファイル１０にゆがみが生じにくく、仕上がりの美観を損ねることはないものとなる。
【００４０】
なお、第１インデックス部１２２ａと第２インデックス部１３２ａと、第３インデックス部１４２ａとの位置は、ファイル１０としてときに視認可能なようにそれぞれ適切な位置（高さ）に配置することは言うまでもない。また、第１インデックス部１２２ａと第２インデックス部１３２ａと、第３インデックス部１４２ａにおいて、印刷することに模様等を付し、それらを識別することができる。
【００４１】
次に、上記ファイル１０の制作過程においてさらに仕切りとなる第５シート部１６０を加えることができる。第５シート部１６０は、底辺を構成する第５底辺部１６１を有する。また側部を構成する第５側辺部１６２と、上端部を構成する第５上辺部１６３とを有する。また背部を構成する第５背辺部１６４を有する。このように、第５シート部１６０は上記の通りほぼ四辺に囲まれ矩形状の呈するものである。また、第５側辺部１６２は、見出しとなる第５インデックス部１６２ａを有する。第５インデックス部１６２ａは、第５側辺部１６２の一部を取り除くことで構成している。なお、第５シート部１６０は、第２シート部１３０と同様の大きさであることが好ましい。したがって、幅Ｈ５は幅Ｈ２と同様である。
【００４２】
上記ファイル１０の制作過程において、その第１シート部１２０の第１底辺部１２１付近と、第４シート部１５０の第４底辺部１４１付近における線状の熱溶着部１７０をヒートシール（熱溶着）するまえに、第２シート部１３０と、第３シート部１４０との間に、第５シート部１６０を挟み込み、第１シート部１２０の第１底辺部１２１付近と、第４シート部１５０の第４底辺部１４１付近をヒートシール（熱溶着）する。
【００４３】
これにより、第１シート部１２０の第１底辺部１２１付近と、第５シート部１６０の第５底辺部１６１付近と、第４シート部１５０の第４底辺部１４１付近とを、ヒートシールである熱溶着し、それらに線状の熱溶着部１７０を構成することができる。これにより、第１シート部１２０と第５シート部１６０と、第４シート部１５０と、の３枚の樹脂シートを固定する固定することができるので、１回のヒートシール（熱溶着）で、さらに仕切りを有するファイルを作成することができる（図示せず）。
【００４４】
このようにファイルに第５シート部１６０を固定することにより、４つの収納部分を有することができる。なお、ファイル１０は３つの収納部分を有するので、収納部分を１増加させることができる（図示せず）。なお、第１インデックス部１２２ａと第２インデックス部１３２ａと、第５インデックス部１６２ａと、第３インデックス部１４２ａとの位置は、視認可能なようにそれぞれ適切な位置（高さ）に配置することは言うまでもない。後述する第７インデックス部１８２ａおよび第８インデックス部１９２ａも同様である。また、各インデックス部を、印刷することにより模様等を付し、それらを識別することができる。後述する第７インデックス部１８２ａあるいは、第８インデックス部１９２ａも同様である。
【００４５】
次に、上記ファイル１０の制作過程においてさらに仕切りとなる第６シート部１７０を加えることができる。第６シート部１７０は、第１シート部１２０とほぼ同様の構成を有する第７シート部１８０と、第２シート部１３０とほぼ同様の構成を有する第８シート部１９０を有するものである。なお、その幅Ｈ６は、幅Ｈ１よりも狭く、幅Ｈ２と同様であることが好ましい。
【００４６】
第７シート部１８０は底辺を構成する第７底辺部１８１を有する。また側部を構成する第７側辺部１８２と、上端部を構成する第７上辺部１８３とを有する。また背部を構成する第７背辺部１８４を有する。このように、第７シート部１８０は、上記の通りほぼ四辺に囲まれ矩形状の呈するものである。また、第７側辺部１２２は、見出しとなる第７インデックス部１８２ａを有する。第７インデックス部１８２ａは、第７側辺部１８２の一部を取り除くことで構成している。
【００４７】
また、第８シート部１９０は底辺を構成する第８底辺部１９１、１９１を有する。また側部を構成する第８側辺部１９２と、上端部を構成する第８上辺部１９３とを有する。また背部を構成する第８背辺部１９４を有する。このように、第８シート部１９０は、ほぼ四辺に囲まれ矩形状の呈するものである。
【００４８】
また、第８底辺部１９１、１９１の間に空所１９６を有する第８開口部１９７を有する。すなわち、第８開口部１９７の両側にそれぞれ、第８底辺部１９１、１９１が配置されている。また、第８底辺部１９１、１９１は、それぞれ、第７底辺部１８１に接続されている。このように、第８開口部１９７は、第８シート部１９０における底辺の一部を切り欠いた空所１９６を有するように構成されている。なお、第８開口部１９７は、コの字状を呈するものが好ましい。また、第８側辺部１９２は、見出しとなる第８インデックス部１９２ａを有する。第８インデックス部１９２ａは、第８側辺部１９２の一部を取り除くことで構成している。
【００４９】
第７シート部１８０における第７底辺部１８１に沿って谷折りすることで、第７シート部１８０と、第８シート部１９０を２つ折りした状態にする。第７シート部１８０における第７開口部１８７の空所１８６を通じて、第６シート部１７０における第７シート部１８０の第７底辺部１８１付近が露出する。この露出した第６シート部１７０における第７シート部１８０の第７底辺部１８１付近を、第２シート部１３０と、第３シート部１４０との間に挟み込み、第１シート部１２０の第１底辺部１２１付近と、第４シート部１５０の第４底辺部１４１付近を、ヒートシールである熱溶着し、それらにファイル１０とほぼ同様である線状の熱溶着部を構成することができる。
【００５０】
これにより、第１シート部１２０と、第７シート部１８０が連結されている第６シート部１７０と、第４シート部１５０と、の３枚の樹脂シートを熱溶着部で、固定することができるので、１回のヒートシール（熱溶着）で、さらに２つの仕切りを有するファイルを作成することができる（図示せず）。
【符号の説明】
【００５１】
１０  ファイル
１００  樹脂シート部
１２０  第１シート部
１２１  第１底辺部
１２２  第１側辺部
１２２ａ  第１インデックス部
１２３  第１上辺部
１２４  第１背辺部
１２８  切り欠き部
１３０  第２シート部
１３１  第２底辺部
１３２  第２側辺部
１３２ａ  第２インデックス部
１３３  第２上辺部
１３４  第２背辺部
１３６  空所
１３７  第１開口部
１４０  第３シート部
１４１  第３底辺部
１４２  第３側辺部
１４２ａ  第３インデックス部
１４３  第３上辺部
１４４  第３背辺部
１４６  空所
１４７  第２開口部
１５０  第４シート部
１５１  第４底辺部
１５２  第４側辺部
１５３  第４上辺部
１５４  第４背辺部
１５８  切り欠き部
１６０  第５シート部
１７０  第６シート部
１８０  第７シート部
１９０  第８シート部
【図１】
0003233573.tif 000003
【図２】
0003233573.tif 000004
【図３】
0003233573.tif 000005
【図４】
0003233573.tif 000006
【図５】
0003233573.tif 000007
【図６】
0003233573.tif 000008
【図７】
0003233573.tif 000009
【図８】
0003233573.tif 000010